(57)【要約】【課題】  薄型画像表示装置の使用頻度の高い入出力端子群・ボタン群部品の操作性を確保しつつ、部品を左右共通化し、その部品の原価・加工費の低減を実現する。【解決手段】  携帯型外部機器と接続する入出力端子又は使用頻度の高い操作ボタンを配設したボタンパネル１６、１７を備える薄型画像表示装置において、ボタンパネルは２個有り、ボタンパネルを左右共通の取付部材を用い、装置の左右側面の高さ方向に対して中央近傍にそれぞれ配置する。取付部材は、ボタンパネルを保持する左右共通の保持部材２１、２７と、保持部材を固定する左右共通のフレーム２２、２８とからなる。【選択図】        図２
2006310939.tif 000002
【特許請求の範囲】
【請求項１】
携帯型外部機器と接続する入出力端子又は使用頻度の高い操作ボタンを配設したボタンパネルを備える薄型画像表示装置において、
前記ボタンパネルは２個有り、該ボタンパネルを左右共通の取付部材を用い、装置の左右側面の高さ方向に対して中央近傍にそれぞれ配置することを特徴とする薄型画像表示装置。
【請求項２】
請求項１記載の薄型画像表示装置において、
前記取付部材は、前記ボタンパネルを保持する左右共通の保持部材を有することを特徴とする薄型画像表示装置。
【請求項３】
請求項１記載の薄型画像表示装置において、
前記取付部材は、前記ボタンパネルを保持する左右共通の保持部材と、該保持部材を固定する左右共通のフレームとからなることを特徴とする薄型画像表示装置。
【発明の詳細な説明】
【技術分野】
【０００１】
本発明は、薄型画像表示装置であり、特にプラズマディスプレイや液晶ディスプレイなど薄型画像表示装置に関する。
【背景技術】
【０００２】
画像表示装置の大画面化及び薄型化に伴い、大型の表示装置構造体に関する技術が重要になってきている。薄型画像表示装置としては、例えばプラズマディスプレイや液晶ディスプレイなどがある。最近の薄型画像表示装置では、放送・メディアの多様化に伴い、薄型画像表示装置に多くの入出力端子群と、操作するための操作ボタン群を設けている。
【０００３】
従来の薄型画像表示装置における入出力端子群の配置に関する技術としては、たとえば下記特許文献１などに開示されている。
【特許文献１】特開２００４−１０９３９６号公報
【発明の開示】
【発明が解決しようとする課題】
【０００４】
薄型画像表示装置に関しては、高性能、高機能化に加えて低コスト化が重要な課題である。上記特許文献１に開示されている技術においては、頻繁に使用する入出力端子群を背面の左右２ヶ所の側面下部に設け、その操作性を向上させている。通常、入出力端子に接続される接続ケーブルの抜差し時には応力が加わるため、入出力端子群はフレームに固定する必要がある。上記特許文献１には明確に記載されていないが、図を見る限り、入出力端子群部の形状は上下非対称的な形状であるため、入出力端子群を固定するフレーム等の部品は、左右で異なるものが使われていると推測される。すなわち、上記特許文献１に開示されている技術においては部品共通化による低コスト化の課題が考慮されていない。また、操作ボタン群に関しては記載がなく、操作性に関して全く考慮されていない。 
【課題を解決するための手段】
【０００５】
本発明は、使用頻度の高い入出力端子群・操作ボタン群を薄型画像表示装置の左右中央に配置することにより、その操作性を確保し、かつ、高さ方向で中央に配置することにより、入出力端子群・操作ボタン群を固定するフレーム等の部品の共通化を可能とする。
【０００６】
すなわち、本発明は、携帯型外部機器と接続する入出力端子又は使用頻度の高い操作ボタンを配設したボタンパネルを備える薄型画像表示装置において、前記ボタンパネルは２個有り、該ボタンパネルを左右共通の取付部材を用い、装置の左右側面の高さ方向に対して中央近傍にそれぞれ配置する薄型画像表示装置である。
【０００７】
また、本発明は、前記取付部材は、前記ボタンパネルを保持する左右共通の保持部材を有する薄型画像表示装置である。
【０００８】
そして、本発明は、前記取付部材は、前記ボタンパネルを保持する左右共通の保持部材と、該保持部材を固定する左右共通のフレームとからなる薄型画像表示装置である。
【発明の効果】
【０００９】
本発明によれば、使用頻度の高い入出力端子群・ボタン群を容易に操作可能な位置に配置することにより、その高い操作性を確保することができる。また、左右部品の共通化により、その構造の簡素化及び部品の種類を減らすことにより、原価・加工費の低減が可能である。これらにより、高い操作性を確保しながら、入出力端子群・ボタン群に関する部品の原価・加工費を抑えた薄型画像表示装置の実現を可能となる。
【発明を実施するための最良の形態】
【００１０】
本発明を実施するための最良の形態を説明する。
以下、図面を参照しながら、本発明について、薄型画像表示装置の一つであるプラズマディスプレイを例にして説明する。なお、全図において、共通な機能を有する構成要素には同一符号を付して示し、また、煩雑さを避けるために、一度述べたものについてはその繰り返した説明を省略する。
【実施例１】
【００１１】
実施例１を説明する。図１は、本発明による第１の実施形態である薄型画像表示装置の概観を表す斜視図である。図１において、１１は表示デバイス（ここではプラズマディスプレイパネル）であり、表示デバイス１１の前面には画質調整機能及び電磁シールド機能を有するフィルタが取り付けられている。１２はキャビネット、１３はスピーカーであり、１５はバックカバーである。１４はスタンド、１６は操作ボタン群が配設されている操作ボタンパネルである。
【００１２】
図２は、本発明による第１の実施形態である薄型画像表示装置において、装置内部を説明する為に、バックカバー１５を外した状態の背面図である。なお本図は、表示デバイス１１を駆動させる制御手段や電源を供給する電源部などの電気部品については説明を簡素化するために省略している。図２において、３３はメインフレーム、２２，２８はサイドフレーム、３４はトップフレーム、３５はボトムフレームである。トップフレーム３４とボトムフレーム３５およびサイドフレーム２２，２８は２本のメインフレーム３３に固定保持され、フレーム群を構成している。これらのフレーム群は例えば鉄などの金属でできており、必要な強度を持たせている。表示デバイス１１はメインフレーム３３に固定保持されており、キャビネット１２やスピーカー１３はトップフレーム３４およびボトムフレーム２５に固定保持されている。１６は前述した操作ボタンパネルであり、操作ボタンパネル保持部材２７を介してサイドフレーム２８に固定保持されている。１７は入出力端子パネルであり、入出力端子パネル保持部材２１を介してサイドフレーム２２に固定保持されている。入出力端子パネル１７については後述する。
【００１３】
図３は、本発明による第１の実施形態である薄型画像表示装置の背面図を示す。バックカバー１５は、金属であり図示しない電気部品の保護及び電磁シールド機能を有しており、複数の取付け用ねじ１９により固定保持されている。このとき、操作ボタンパネル１６、入出力端子パネル１７は、バックカバー１５より露出するようになっている。また、その背面中央下部には、外部機器と接続するための入出力端子群１８が配設されている。ここには、常に薄型画像表示装置に接続するような外部機器や、アンテナ線などを接続するようにしている。
【００１４】
図４及び図５は、本発明による第１の実施形態である薄型画像表示装置の左側面図・右側面図をそれぞれ示す。図４において、装置左側面には、デジタルカメラやデジタルビデオカメラ等の携帯型外部機器と接続するための入出力端子が配設された入出力端子パネル１７が配置されている。これらの携帯型外部機器接続用の入出力端子パネル１７は、図に示すように、前面より見えない位置に配置することによりデザイン性を損なわないようにしている。さらには、側面に近い位置に配置することにより、接続ケーブルが容易に抜き差しできるようにしている。また、図５において、装置右側面には、音量調整、チャンネル切り替え等の操作用ボタンパネル１６が配置されている。これも同様に、前面より見えない位置に配置することによりデザイン性を損なわないようにし、側面に近い位置に配置することにより容易に操作できるようにしている。
【００１５】
図６は、入出力端子パネル１７のサイドフレーム２２への取付けを示す斜視図であり、図７は操作用ボタンパネル１６のサイドフレーム２８への取付けを示す斜視図である。図６において、入出力端子パネル１６は入出力パネル保持部材２１に取付け用ねじ２３にて固定され、入出力パネル保持部材２１はサイドフレーム２２へ取付け用ねじ２４にて固定される。サイドフレーム２２は取付け用ねじ２５にてトップフレーム３４，ボトムフレーム３５，スピーカー１３に固定されている。また、入出力パネル保持部材２１は取付け用ねじ２６にてスピーカー１３にも固定されている。図７において、操作ボタンパネル１６は、入出力端子パネル１７と同様に、操作ボタンパネル保持部材２７に取付け用ねじ２９にて固定され、操作ボタンパネル保持部材２７はサイドフレーム２８へ取付け用ねじ３０にて固定される。サイドフレーム２８は取付け用ねじ３１にてトップフレーム３４，ボトムフレーム３５，スピーカー１３に固定されている。また、操作ボタンパネル保持部材２７は取付け用ねじ３２にてスピーカー１３にも固定されている。
【００１６】
図に示すように、入出力端子パネル１７及び操作ボタンパネル１６を高さ方向で中央近傍に配置することにより、それぞれのパネルを保持する入出力端子パネル保持部材２１と操作ボタンパネル保持部材２７は、同じ部品を使うことが可能となる。また、サイドフレーム２２，２８も同じ部品を使うことが可能となる。
【００１７】
上記したように、部品を左右で共通化を図ることで、部品の原価、加工費を低減でき、低コスト化を図った薄型画像表示装置を提供することができる。
【００１８】
上記した実施の形態は、操作ボタンパネル１６，入出力端子パネル１７をそれぞれの保持部材２１，２７を介してサイドフレーム２２，２８に固定しているが、直接サイドフレームに固定してもよい。また上記実施の形態はプラズマディスプレイを例にして説明したが、これに限らず種々の薄型画像表示装置に適用可能である。
【図面の簡単な説明】
【００１９】
【図１】実施例１の薄型画像表示装置の概観を表す斜視図。
【図２】実施例１の薄型画像表示装置の内部配置を説明する背面図。
【図３】実施例１の薄型画像表示装置の背面図。
【図４】実施例１の薄型画像表示装置の左側面図。
【図５】実施例１の薄型画像表示装置の右側面図。
【図６】実施例１における入出力端子パネルの取付け状態を示す展開図。
【図７】実施例１における操作ボタンパネルの取付け状態を示す展開図。
【符号の説明】
【００２０】
１１…表示デバイス、１２…キャビネット、１３…スピーカー、１４…スタンド、１５…バックカバー、１６…操作ボタンパネル、１７…入出力端子パネル、２１…入出力端子パネル保持部材、２２…サイドフレーム、２７…操作ボタンパネル保持部材、２８…サイドフレーム、３３…メインフレーム、３４…トップフレーム、３５…ボトムフレーム。
【図１】
2006310939.tif 000003
【図２】
2006310939.tif 000004
【図３】
2006310939.tif 000005
【図４】
2006310939.tif 000006
【図５】
2006310939.tif 000007
【図６】
2006310939.tif 000008
【図７】
2006310939.tif 000009